(57)【要約】【課題】  ある操作機器のユーザの印刷中に、印刷中のユーザの許可なく勝手に他の操作機器から印刷を中止されてしまうことを防止することである。【解決手段】  操作機器固有のＩＤ情報を備えた複数の操作機器１０１と無線通信可能な印刷装置であって、印刷処理中におけるいずれかの操作機器１０１からの要求受信時に、要求元のＩＤ情報と記憶されているＩＤ情報とを照合して印刷処理を実行する第１のモードと、すべての操作機器からの操作要求を実行する第２のモードとを有し、無線通信操作処理部２０５が前記第１のモードによる印刷処理状態に基づいて、第１のモードから第２のモードへまたは第２のモードから第１のモードへの切り替えを制御する構成を特徴とする。【選択図】  図２
2006289674.tif 000002
【特許請求の範囲】
【請求項１】
操作機器固有のＩＤ情報を備えた複数の操作機器と無線通信可能な印刷装置であって、
印刷処理を受け付けた操作機器固有のＩＤ情報を記憶する記憶手段と、
印刷処理中におけるいずれかの操作機器からの要求受信時に、要求元のＩＤ情報と前記記憶手段に記憶されているＩＤ情報とを照合して印刷処理を実行する第１のモードと、すべての操作機器からの操作要求を実行する第２のモードとを有し、前記第１のモードによる印刷処理状態に基づいて、第１のモードから第２のモードへ、または第２のモードから第１のモードへの切り替えを制御する制御手段とを備えたことを特徴とする印刷装置。
【請求項２】
前記制御手段は、第１のモード時に、処理中の印刷処理の中止または継続を制御することを特徴とする請求項１記載の印刷装置。
【請求項３】
前記制御手段は、要求元のＩＤ情報と前記記憶手段に記憶されているＩＤ情報との照合結果を要求元の操作機器に送信することを特徴とする請求項１記載の印刷装置。
【請求項４】
前記制御手段は、要求元のＩＤ情報と前記記憶手段に記憶されているＩＤ情報とが一致する場合、処理中の印刷処理を中止して、新たな印刷要求を受信することを特徴とする請求項１記載の印刷装置。
【請求項５】
前記制御手段は、印刷処理中に発生するエラー情報を記憶されているＩＤに対応する操作機器に送信することを特徴とする請求項１記載の印刷装置。
【請求項６】
前記制御手段は、印刷処理終了後、記憶されている操作機器のＩＤ情報を消去することを特徴とする請求項１記載の印刷装置。
【請求項７】
操作機器固有のＩＤ情報を印刷装置に通知可能な操作機器であって、
前記操作機器固有のＩＤ情報を記憶する記憶手段と、
前記印刷装置への操作要求時に、前記操作機器固有のＩＤ情報を前記印刷装置に送信して、印刷処理を要求する要求手段と、
前記印刷装置から通知されるＩＤ情報と記憶されているＩＤ情報とを照合して、処理中の印刷を中止するための印刷中止要求の送信を制御する制御手段と、
を有することを特徴とする操作機器。
【請求項８】
前記制御手段は、印刷処理中に、前記印刷装置からエラー情報を受信した場合に、該エラー情報とともに通知されるＩＤ情報と記憶されているＩＤ情報とを照合して、エラーメッセージの表示実行を制御することを特徴とする請求項６記載の操作機器。
【請求項９】
操作機器固有のＩＤ情報を備えた複数の操作機器と印刷装置とが無線通信可能な印刷システムであって、
前記印刷装置は、
印刷処理を受け付けた操作機器固有のＩＤ情報を記憶する第１の記憶手段と、
印刷処理中におけるいずれかの操作機器からの要求受信時に、要求元のＩＤ情報と前記記憶手段に記憶されているＩＤ情報とを照合して印刷処理を実行する第１のモードと、すべての操作機器からの操作要求を実行する第２のモードとを有し、前記第１のモードによる印刷処理状態に基づいて、第１のモードから第２のモードへ、または第２のモードから第１のモードへの切り替えを制御する第１の制御手段とを備え、
前記操作機器は、
前記操作機器固有のＩＤ情報を記憶する第２の記憶手段と、
前記印刷装置への操作要求時に、前記操作機器固有のＩＤ情報を前記印刷装置に送信して、印刷処理を要求する要求手段と、
前記印刷装置から通知されるＩＤ情報と記憶されているＩＤ情報とを照合して、処理中の印刷を中止するための印刷中止要求の送信を制御する第２の制御手段とを有することを特徴とする印刷システム。
【請求項１０】
操作機器固有のＩＤ情報を備えた複数の操作機器と無線通信可能な印刷装置における印刷制御方法であって、
印刷処理を受け付けた操作機器固有のＩＤ情報を記憶手段に記憶し、
印刷処理中におけるいずれかの操作機器からの要求受信時に、要求元のＩＤ情報と前記記憶手段に記憶されているＩＤ情報とを照合して印刷処理を実行する第１のモードと、すべての操作機器からの操作要求を実行する第２のモードとを有し、前記第１のモードによる印刷処理状態に基づいて、第１のモードから第２のモードへの切り替えを制御する制御ステップとを備えたことを特徴とする印刷制御方法。
【請求項１１】
操作機器固有のＩＤ情報を印刷装置に通知可能な操作機器における印刷制御方法であって、
前記操作機器固有のＩＤ情報を記憶手段に記憶し、
前記印刷装置への操作要求時に、前記操作機器固有のＩＤ情報を前記印刷装置に送信して、印刷処理を要求する要求ステップと、
前記印刷装置から通知されるＩＤ情報と記憶されているＩＤ情報とを照合して、処理中の印刷を中止するための印刷中止要求の送信を制御する制御ステップと、
を有することを特徴とする印刷制御方法。
【請求項１２】
操作機器固有のＩＤ情報を備えた複数の操作機器と印刷装置とが無線通信可能な印刷システムにおける印刷制御方法であって、
前記印刷装置は、
印刷処理を受け付けた操作機器固有のＩＤ情報を第１の記憶手段に記憶し、
印刷処理中におけるいずれかの操作機器からの要求受信時に、要求元のＩＤ情報と前記第１の記憶手段に記憶されているＩＤ情報とを照合して印刷処理を実行する第１のモードと、すべての操作機器からの操作要求を実行する第２のモードとを有し、前記第１のモードによる印刷処理状態に基づいて、第１のモードから第２のモードへまたは第２のモードから第１のモードへの切り替えを制御する第１の制御ステップとを備え、
前記操作機器は、
前記操作機器固有のＩＤ情報を第２の記憶手段に記憶し、
前記印刷装置への操作要求時に、前記操作機器固有のＩＤ情報を前記印刷装置に送信して、印刷処理を要求する要求ステップと、
前記印刷装置から通知されるＩＤ情報と記憶されているＩＤ情報とを照合して、処理中の印刷を中止するための印刷中止要求の送信を制御する第２の制御ステップとを有することを特徴とする印刷制御方法。
【請求項１３】
請求項１０〜１２のいずれかに記載の印刷制御方法を実行させるためのプログラムを格納したことを特徴とするコンピュータが読み取り可能な記憶媒体。
【請求項１４】
請求項１０〜１２のいずれかに記載の印刷制御方法を実行させることを特徴とする特徴とするプログラム。
【発明の詳細な説明】
【技術分野】
【０００１】
本発明は、操作機器固有のＩＤ情報を備えた複数の操作機器と印刷装置とが無線通信可能な印刷システムに関するものである。
【背景技術】
【０００２】
従来より、印刷装置に情報処理装置を接続して、情報処理装置をリモコン操作して印刷を実行するものがある。このような形態の場合、ユーザは、リモコン側にメモリカードを装着して、リモコンのビューワに任意の画像を表示し、ユーザが選択した画像のデータを、リモコンのメモリカードから印刷装置に転送し、リモコンの印刷実行ボタンを押すことによって印刷するものである。
【０００３】
最近では、印刷装置自体が高機能になり、パソコンを介さなくてもさまざまな情報機器から画像データを直接受信し印刷できるようになっている。
【０００４】
例えば、印刷装置に無線通信機能が内蔵され、無線通信を利用したリモコン操作で印刷したり、無線通信を利用して携帯電話から画像データを受信して、直接印刷を行うものや、無線通信機能を内蔵したデジタルカメラで撮影した画像を直接印刷を行うもの等がある。
【０００５】
さらに、デジタルカメラや、携帯電話等、情報機器からのダイレクト印刷の仕組みは、規格化され、今後、一台の印刷装置に対して、種々複数の情報機器から遠隔操作できるようになる。
【０００６】
なお、この種の技術に関して、下記の特許文献１〜３が既に公開されている。
【特許文献１】特開２００４−２２０４６８号公報
【特許文献２】特開２００２−１１６８９８号公報
【特許文献３】特開２００３−２１６３５０号公報
【発明の開示】
【発明が解決しようとする課題】
【０００７】
しかしながら、上述した従来技術においては下記のような問題があった。
【０００８】
すなわち、従来の無線通信機能付き印刷装置は、常時、複数のリモコンおよび情報機器（以後、操作機器とする）からの操作が可能であるため、あるユーザの印刷中に、印刷中のユーザの許可なく勝手に他の操作機器から印刷を中止されてしまう恐れがあった。
【０００９】
また、従来の無線通信機能付き印刷装置は、常時、複数の操作機器からの操作が可能であるため、あるユーザが高級紙など特殊な用紙を利用して印刷していた場合、他のユーザが印刷要求を印刷装置に与えると、高級紙など特殊な用紙を利用して印刷しているユーザの許可なしに、印刷を実行してしまい、普通紙に印刷すればいいようなコンテンツを高級紙など特殊な用紙に印刷してしまう恐れがあった。
【００１０】
また、従来の無線通信機能付き印刷装置は、常時、複数の操作機器からの操作が可能であるため、あるユーザが年賀状等を連続印刷しているにもかかわらず、印刷中のユーザの許可がなくても、他のユーザが勝手に印刷を中止して、他の印刷要求を実行してしまう恐れがあった。
【００１１】
本発明は、上記の課題を解決するためになされたもので、本発明の第１の目的は、操作機器固有のＩＤ情報を備えた複数の操作機器と無線通信可能な印刷装置であって、印刷処理中におけるいずれかの操作機器からの要求受信時に、要求元のＩＤ情報と記憶されているＩＤ情報とを照合して印刷処理を実行する第１のモードと、すべての操作機器からの操作要求を実行する第２のモードとを有し、前記第１のモードによる印刷処理状態に基づいて、第１のモードから第２のモードへまたは第２のモードから第１のモードへの切り替えを制御することにより、ある操作機器のユーザの印刷中に、印刷中のユーザの許可なく勝手に他の操作機器から印刷を中止されてしまうことを防止することができる印刷装置および印刷制御方法およびコンピュータが読み取り可能なプログラムを格納した記憶媒体およびプログラムを提供することである。
【００１２】
第２の目的は、操作機器固有のＩＤ情報を印刷装置に通知可能な操作機器であって、印刷装置への操作要求時に、前記操作機器固有のＩＤ情報を前記印刷装置に送信して、印刷処理を要求した後、印刷装置から通知されるＩＤ情報と記憶されているＩＤ情報とを照合して、処理中の印刷を中止するための印刷中止要求の送信を制御することにより、処理中の印刷処理を中止してしまうような不用意な印刷中止指示が印刷装置に転送してしまうことを制限できる操作機器および印刷制御方法およびコンピュータが読み取り可能なプログラムを格納した記憶媒体およびプログラムを提供することである。
【００１３】
第３の目的は、操作機器固有のＩＤ情報を備えた複数の操作機器と印刷装置が無線通信可能な印刷システムであって、印刷処理中におけるいずれかの操作機器からの要求受信時に、要求元のＩＤ情報と記憶されているＩＤ情報とを照合して印刷処理を実行する第１のモードと、すべての操作機器からの操作要求を実行する第２のモードとを有し、前記第１のモードによる印刷処理状態に基づいて、第１のモードから第２のモードへまたは第２のモードから第１のモードへの切り替えを制御するとともに、操作機器固有のＩＤ情報を印刷装置に通知可能な操作機器であって、印刷装置への操作要求時に、前記操作機器固有のＩＤ情報を前記印刷装置に送信して、印刷処理を要求した後、印刷装置から通知されるＩＤ情報と記憶されているＩＤ情報とを照合して、処理中の印刷を中止するための印刷中止要求の送信を制御することにより、ある操作機器のユーザの印刷中に、印刷中のユーザの許可なく勝手に他の操作機器から印刷を中止されてしまうことを防止することができるともに、処理中の印刷処理を中止してしまうような不用意な印刷中止指示が印刷装置に転送してしまうことを制限できる印刷システムおよび印刷制御方法およびコンピュータが読み取り可能なプログラムを格納した記憶媒体およびプログラムを提供することである。
【課題を解決するための手段】
【００１４】
上記目的を達成する本発明の印刷装置は以下に示す構成を備える。
【００１５】
操作機器固有のＩＤ情報を備えた複数の操作機器と無線通信可能な印刷装置であって、印刷処理を受け付けた操作機器固有のＩＤ情報を記憶する記憶手段と、印刷処理中におけるいずれかの操作機器からの要求受信時に、要求元のＩＤ情報と前記記憶手段に記憶されているＩＤ情報とを照合して印刷処理を実行する第１のモードと、すべての操作機器からの操作要求を実行する第２のモードとを有し、前記第１のモードによる印刷処理状態に基づいて、第１のモードから第２のモードへまたは第２のモードから第１のモードへの切り替えを制御する制御手段とを備えたことを特徴とする。
【００１６】
上記目的を達成する本発明の操作機器は以下に示す構成を備える。
【００１７】
操作機器固有のＩＤ情報を印刷装置に通知可能な操作機器であって、前記操作機器固有のＩＤ情報を記憶する記憶手段と、前記印刷装置への操作要求時に、前記操作機器固有のＩＤ情報を前記印刷装置に送信して、印刷処理を要求する要求手段と、前記印刷装置から通知されるＩＤ情報と記憶されているＩＤ情報とを照合して、処理中の印刷を中止するための印刷中止要求の送信を制御する制御手段とを有することを特徴とする。
【００１８】
上記目的を達成する本発明の印刷システムは以下に示す構成を備える。
【００１９】
操作機器固有のＩＤ情報を備えた複数の操作機器と印刷装置とが無線通信可能な印刷システムであって、前記印刷装置は、印刷処理を受け付けた操作機器固有のＩＤ情報を記憶する第１の記憶手段と、印刷処理中におけるいずれかの操作機器からの要求受信時に、要求元のＩＤ情報と前記第１の記憶手段に記憶されているＩＤ情報とを照合して印刷処理を実行する第１のモードと、すべての操作機器からの操作要求を実行する第２のモードとを有し、前記第１のモードによる印刷処理状態に基づいて、第１のモードから第２のモードへまたは第２のモードから第１のモードへの切り替えを制御する第１の制御手段とを備え、前記操作機器は、前記操作機器固有のＩＤ情報を記憶する第２の記憶手段と、前記印刷装置への操作要求時に、前記操作機器固有のＩＤ情報を前記印刷装置に送信して、印刷処理を要求する要求手段と、前記印刷装置から通知されるＩＤ情報と記憶されているＩＤ情報とを照合して、処理中の印刷を中止するための印刷中止要求の送信を制御する第２の制御手段とを有することを特徴とする。
【００２０】
上記目的を達成する本発明の印刷制御方法は以下に示す構成を備える。
【００２１】
操作機器固有のＩＤ情報を備えた複数の操作機器と無線通信可能な印刷装置における印刷制御方法であって、印刷処理を受け付けた操作機器固有のＩＤ情報を記憶手段に記憶し、印刷処理中におけるいずれかの操作機器からの要求受信時に、要求元のＩＤ情報と前記記憶手段に記憶されているＩＤ情報とを照合して印刷処理を実行する第１のモードと、すべての操作機器からの操作要求を実行する第２のモードとを有し、前記第１のモードによる印刷処理状態に基づいて、第１のモードから第２のモードへの切り替えを制御する制御ステップとを備えたことを特徴とする。
【００２２】
また、操作機器固有のＩＤ情報を印刷装置に通知可能な操作機器における印刷制御方法であって、前記操作機器固有のＩＤ情報を記憶手段に記憶し、前記印刷装置への操作要求時に、前記操作機器固有のＩＤ情報を前記印刷装置に送信して、印刷処理を要求する要求ステップと、前記印刷装置から通知されるＩＤ情報と記憶されているＩＤ情報とを照合して、処理中の印刷を中止するための印刷中止要求の送信を制御する制御ステップと、を有することを特徴とする。
【００２３】
さらに、操作機器固有のＩＤ情報を備えた複数の操作機器と印刷装置とが無線通信可能な印刷システムにおける印刷制御方法であって、前記印刷装置は、印刷処理を受け付けた操作機器固有のＩＤ情報を第１の記憶手段に記憶し、印刷処理中におけるいずれかの操作機器からの要求受信時に、要求元のＩＤ情報と前記第１の記憶手段に記憶されているＩＤ情報とを照合して印刷処理を実行する第１のモードと、すべての操作機器からの操作要求を実行する第２のモードとを有し、前記第１のモードによる印刷処理状態に基づいて、第１のモードから第２のモードへまたは第２のモードから第１のモードへの切り替えを制御する第１の制御ステップとを備え、前記操作機器は、前記操作機器固有のＩＤ情報を第２の記憶手段に記憶し、前記印刷装置への操作要求時に、前記操作機器固有のＩＤ情報を前記印刷装置に送信して、印刷処理を要求する要求ステップと、前記印刷装置から通知されるＩＤ情報と記憶されているＩＤ情報とを照合して、処理中の印刷を中止するための印刷中止要求の送信を制御する第２の制御ステップとを有することを特徴とする。
【発明の効果】
【００２４】
本発明によれば、ある操作機器のユーザの印刷中に、印刷中のユーザの許可なく勝手に他の操作機器から印刷を中止されてしまうことを防止することができる。
【００２５】
さらに、あるユーザが高級紙などの特殊な用紙を利用して印刷していた場合、他のユーザが印刷要求を印刷装置に与えても、高級紙など特殊な用紙を利用して印刷しているユーザの許可なしには、印刷を実行することができないため、普通紙に印刷すればいいようなコンテンツを高級紙などの特殊な用紙に印刷してしまうようなことを防止することができる。
【００２６】
また、例えばあるユーザが年賀状等を連続印刷していた場合には、印刷中のユーザの許可がなければ、他のユーザは勝手に印刷を中止できないので、他の印刷要求を実行してしまうようなことを防止することができる。
【発明を実施するための最良の形態】
【００２７】
次に本発明を実施するための最良の形態について図面を参照して説明する。
【００２８】
＜システム構成の説明＞
以下、本発明を無線通信機能付き印刷装置に適用した場合の実施形態を図面に基づいて詳細に説明する。
【００２９】
図１は、本発明に係る印刷装置を適用可能な印刷システムを説明する図であり、例えば無線通信機能付き印刷装置１００および無線通信機能付き操作機器１０１ａ〜１０１ｃの例である。
【００３０】
図１において、無線通信機能付き操作機器１０１ａ〜１０１ｃは、内部に固有のＩＤ情報を記憶部に持ち、画像データを記録するための手段としてメモリカードを装着可能で、図示はしないが、印刷ボタン、印刷中止ボタンのほかに、メニューおよび画像選択の役割をもつ左ボタン、右ボタン、上ボタン、下ボタンがあり、ユーザは記録された画像データの中から、画像を選択して表示し、さらに選択した画像データを無線通信機能付き印刷装置１００に転送し印刷実行操作ができる。
【００３１】
なお、無線通信機能を持ち画像データを転送し印刷実行操作ができる携帯電話１０１ａ，１０１ｂを含む複数の無線通信機能付き操作機器１０１ａ〜１０１ｃで操作が可能である。
【００３２】
無線通信機能付き印刷装置１００は、無線通信機能付き操作機器１０１ａ〜１０１ｃから、印刷実行信号を受信すると、無線通信機能付き操作機器１０１ａ〜１０１ｃから画像データを受信し、印刷データに変換して印刷を行う。
【００３３】
また、本実施形態における無線通信機能付き印刷装置１００は、常時すべての無線通信機能付き操作機器１０１ａ〜１０１ｃからの操作を実行する従来同様の通常モード（第２のモード）と、操作を実行した無線通信機能付き操作機器（１０１ａまたは、１０１ｂまたは、１０１ｃ）の操作のみ許可して実行する操作機器限定モード（第１のモード）を切り替える制御をＣＰＵ２０６が行っていおり、ＣＰＵ２０６の指示に従い、後述する無線通信操作処理部２０５中であって、図５に示すモード設定部３００が第１のモードから第２のモードへの切り替え、第２のモードから第１のモードへの切り替えを制御している。
【００３４】
常時すべての無線通信機能付き操作機器１０１ａ〜１０１ｃからの操作を実行する通常モードの時は、本実施形態における無線通信機能付き印刷装置１００は、従来同様に常時すべての無線通信機能付き操作機器１０１ａ〜１０１ｃからの操作信号を受け付けて実行する。
【００３５】
一方、操作を実行した無線通信機能付き操作機器（１０１ａまたは、１０１ｂまたは、１０１ｃ）の操作のみ実行する操作機器限定モードの時は、本実施形態における無線通信機能付き印刷装置１００は、操作を実行中、操作機器のＩＤ情報を一時的に保持し、新たに操作信号を受信した場合、受信した操作機器ＩＤと、一時的に保持しているＩＤ情報との比較により、あらたに受信した操作信号を実行するか否かを判定し操作を実行する。
【００３６】
〔第１実施形態〕
図２は、本発明の第１実施形態を示す無線通信機能付き印刷装置１００の内部構成を示すブロック図であり、図１と同一のものには同一の符号を付してある。
【００３７】
図２において、無線通信機能付き印刷装置１００は、入力手段２０１、表示部２０８、画像処理部２０９、作業用メモリ２０２、プログラム格納メモリ２０３、動作終了検知部２０４、無線通信操作処理部２０５、無線通信Ｉ／Ｆ部２０７、電源２１６、プリンタユニット２１１、コントローラ２１０および各ブロックを制御するためのＣＰＵ２０６で構成されている。
【００３８】
１０１は操作機器で、図１に示した無線通信機能付き印刷装置（印刷装置）１００を操作可能に構成され、印刷装置１００の無線通信Ｉ／Ｆ部２０７を介して操作信号および画像データの送受信を行うことができる。
【００３９】
また、プリンタユニット２１１は、各種モータ２１４と各種モータ駆動部２１２、印字ヘッド２１５と印字ヘッド駆動部２１３で構成されている。
【００４０】
印刷装置１００における入力手段２０１は、本実施形態における常時すべての無線通信機能付き操作機器１０１の操作を実行する通常モードと、操作を実行した無線通信機能付き操作機器１０１の操作のみ実行する操作機器限定モードを切り替えるためのモード設定ボタンの他、印刷実行、印刷中止、プラスボタンやマイナスボタン及び十字キー等が配置され、ユーザからの指示を入力しデジタル信号に変換してＣＰＵ２０６に伝える。
【００４１】
表示部２０８は、液晶表示素子等の画面を有する表示装置として構成されており、本実施形態における常時すべての無線通信機能付き操作機器１０１の操作を実行する通常モードと、操作を実行した無線通信機能付き操作機器１０１の操作のみ実行する操作機器限定モードのモード設定状態や、印刷ステータス、エラー／警告メッセージ等を表示する。また、画像データ再生時には、フレームメモリ５００に記憶されているＹ、Ｕ、Ｖデータを、Ｒ、Ｇ、Ｂ（赤、緑、青の三原色成分）データに変換して再生し表示する。
【００４２】
画像処理部２０９は、入力された画像データを読み込み画像の回転およびバンドバッファメモリへの格納、印刷用紙の大きさに適した画像サイズに変更、ＲＧＢデータを印刷用ＹＭＣデータに変換、印刷データに変換するための２値化処理等を行う。
【００４３】
図３は、図２に示したプログラム格納メモリ２０３のメモリマップを示す図であり、図４は、図２に示した作業用メモリ２０２のメモリマップを示す図である。
【００４４】
図３に示すように、プログラム格納メモリ２０３は、制御プログラム４００、各種アプリケーションプログラム４０１、印刷用画像データ作成手段４０３、ユーティリティプログラム４０４の他に、無線通信操作のソフトウエア処理を行う無線通信操作処理プログラム４０２を格納している。
【００４５】
なお、印刷用画像データ作成手段４０３は、画像処理部２０９のソフトウエア処理としてパーソナルコンピュータ等での印刷画像データ作成処理用のプログラムと同じ構成の、ラスタライザ、色補正モジュール及びハーフトーンモジュールからなる３つを、描画に必要な２値データを得るための基本的手段として備えており、ＹＵＶデータをＫ（ブラック）、Ｃ（シアン）、Ｍ（マゼンタ）、及びＹ（イエロー）の印刷用のＣＭＹＫ階調ビットイメージデータに変換する。
【００４６】
また、図４に示すように、作業用メモリ２０２は、フレームメモリ５００、印刷用データバッファ５０１、予備エリア５０２、プログラム用エリア５０３等が設定されている。
【００４７】
図４において、フレームメモリ５００は、表示部２０８の画像表示用メモリとして用いられて、画像データがビットマップイメージで展開される。また、フレームメモリ５００は、表示部２０８のメニュー表示用メモリとして用いられる。印刷用データバッファ５０１は、印刷時に印刷用データを一時的に記憶するために用いられる。予備エリア５０２は、空き領域であり、実行されているプログラムのサイズにより領域の大きさが変動する。プログラム用エリア５０３は、プログラム格納メモリ２０３から読み出された制御プログラム４００及びその時点で起動されているプログラムが記憶され、ＣＰＵ２０６の制御により実行される。
【００４８】
動作終了検知部２０４は、本発明において、プリンタユニット２１１およびコントローラ２１０から印刷終了を検知する手段を備えており、本実施例では印刷動作が終了したことを検知すると、ＣＰＵ２０６を介して無線通信操作処理部２０５に印刷終了信号を通知する。
【００４９】
無線通信操作処理部２０５は、本発明において重要な役割を果たし詳細は後述するが、本発明における常時すべての無線通信機能付き操作機器１０１の操作を実行する通常モードと、操作を実行した無線通信機能付き操作機器１０１の操作のみ実行する操作機器限定モードのモード設定処理を行う他、無線通信機能付き操作機器１０１から受信した操作信号を解析してＣＰＵ２０６に伝える。
【００５０】
無線通信Ｉ／Ｆ部２０７は、無線通信機能付き印刷装置１００と、無線通信機能付き印刷装置１００を操作可能な無線通信機能付き操作機器１０１のデータの送受信を行うためのＩ／Ｆ部である。
【００５１】
コントローラ２１０は、プリンタユニット２１１全体の動作制御を行う。コントローラ２１０は、印刷用データ（及び制御データ）を受け取ると制御信号を送って印字ヘッド駆動部２１３及びモータ駆動部２１２を制御し、描画及び紙送りを行わせることで、印刷画像（カラー印刷画像）を得る。
【００５２】
ＣＰＵ２０６は、上述の各回路等にバスラインを介して接続し、プログラム格納メモリ２０３に格納されている制御プログラム４００により本無線通信機能付き印刷装置１００全体の制御を行うと共に、本発明において入力手段２０１からの指示信号に対応して本無線通信機能付き印刷装置１００の各機能の実行制御を行う。
【００５３】
次に、図５を用いて、本実施形態における無線通信操作処理部２０５について詳細に説明する。
【００５４】
図５は、本発明の第１実施形態を示す無線通信操作処理部の内部構成を説明するブロック図であり、図２に示した無線通信操作処理部２０５の詳細構成に対応する。
【００５５】
図５において、モード設定部３００は、入力手段２０１からの指示信号に対応して、常時すべての無線通信機能付き操作機器１０１の操作を実行する通常モードと、操作を実行した無線通信機能付き操作機器１０１の操作のみを実行する操作機器限定モードのモード設定を行う。
【００５６】
操作信号実行部３０１は、操作信号検知部３０２で検知された操作信号が有効か否かを判定し、ＣＰＵ２０６に実行信号を伝える手段であり、モード設定部３００の常時すべての無線通信機能付き操作機器１０１の操作を実行する通常モードと、操作を実行した無線通信機能付き操作機器１０１の操作のみを実行する操作機器限定モードのモード設定状態と、ＩＤ比較部３０４の判定結果により本無線通信機能付き印刷装置１００の実行を行う。
【００５７】
操作信号検知部３０２は、無線通信機能付き操作機器１０１からの操作信号を検知し、操作信号実行部３０１に与える。操作ＩＤ検知部３０３は、無線通信機能付き操作機器１０１からの操作信号に付加された無線通信機能付き操作機器１０１固有のＩＤ情報を検知し、ＩＤ比較部３０４およびＩＤ記憶部３０５に与える。ＩＤ記憶部３０５は、無線通信機能付き操作機器１０１から受信した無線通信機能付き操作機器１０１固有のＩＤ情報を格納する。
【００５８】
ＩＤ比較部３０４は、操作ＩＤ検知部３０３によって検知された無線通信機能付き操作機器１０１固有のＩＤ情報と、ＩＤ記憶部３０５に格納されているＩＤ情報とを比較し、判定結果を操作信号実行部３０１に通知する。ＣＰＵ２０６は、図２に示すように各回路等にバスラインを介して接続されているものであり、さらに図５に示すように無線通信操作処理部２０５内部の各ブロックに接続され実行処理する。
【００５９】
次に、無線通信機能付き印刷装置１００を操作可能な無線通信機能付き操作機器１０１の内部構成について図６を用いて説明する。
【００６０】
図６は、図２に示した無線通信機能付き印刷装置１００の詳細構成を説明するブロック図であり、図２と同一のものには同一の符号を付してある。
【００６１】
図６において、１００は無線通信機能付き印刷装置を表し、無線通信機能付き操作機器１０１の無線通信Ｉ／Ｆ部６０３を介して操作信号および画像データの送受信を行うことができる。
【００６２】
６０８は画像記録用メモリカードで、本実施形態では、例えば３２ＭＢのフラッシュメモリを用いており、容量に応じて複数の画像を記録することができる。
【００６３】
本実施例における無線通信機能付き操作機器１０１は、入力手段６００、表示部６０１、電話機能６０２、無線通信操作処理部６０５、ＩＤ記憶部６０６、無線通信Ｉ／Ｆ部６０３、メモリカードＩ／Ｆ部６０７および各機能の実行を行うＣＰＵ６０４で構成される。
【００６４】
なお、電話機能６０２は、一般的な携帯電話の機能を備えるブロックであり、本実施形態では直接関わりない機能であるので詳細は省略する。
【００６５】
入力手段６００は、メモリカード６０８に記録されている画像データから任意の画像を選択するための手段として、図示はしないが、プラスボタンやマイナスボタン及び十字キー等が配置され、さらに選択した画像を印刷実行するための印刷実行ボタン、印刷を中止させるための印刷中止ボタン等を備え、ユーザからの指示を入力しデジタル信号に変換してＣＰＵ６０４に与える。
【００６６】
表示部６０１は、液晶表示素子等の画面を有する表示装置として構成されており、メモリカード６０８に記録された画像データを表示できる。また、印刷時には、印刷ステータス、エラー／警告メッセージ等を表示する。
【００６７】
無線通信操作処理部６０５は、無線通信Ｉ／Ｆ部６０３を介して本発明における無線通信機能付き印刷装置１００と操作信号、無線通信機能付き操作機器固有のＩＤ情報、印刷ステータス信号、エラー／警告メッセージ信号等を処理する。
【００６８】
ＩＤ記憶部６０６は本無線通信機能付き操作機器１０１固有のＩＤ情報が格納されている。
【００６９】
メモリカードＩ／Ｆ部６０７は、画像記録用メモリカード６０８の装着口であり、ユーザの操作信号に応じて、画像記録用メモリカード６０８内の画像データを本無線通信機能付き操作機器１０１内に読み込む手段を備える。
【００７０】
ＣＰＵ６０４は、本無線通信機能付き操作機器１０１の各回路等にバスラインを介して接続されており、各機能の実行処理を行う。
【００７１】
次に、上記の如く構成された本無線通信機能付き印刷装置１００および無線通信機能付き操作機器１０１の動作について図７〜図１０を参照しながら詳細に説明する。
【００７２】
なお、本実施形態における無線通信機能付き印刷装置１００は、本無線通信機能付き印刷装置１００のモード設定部３００が、常時すべての無線通信機能付き操作機器１０１ａ〜１０１ｃの操作を実行する通常モードに設定されている時は、従来同様の動作であり、常時すべての無線通信機能付き操作機器１０１ａ〜１０１ｃの操作信号を受け付けて実行するので、説明は省略する。
【００７３】
図７は、本発明に係る操作装置における第１のデータ処理手順の一例を示すフローチャートであり、本無線通信機能付き印刷装置１００を操作可能な無線通信機能付き操作機器１０１の印刷実行時のデータ処理手順に対応する。なお、Ｓ７００〜Ｓ７１０は各ステップを示し、各ステップは、ＣＰＵ６０４がメモリに記憶される制御プログラムをワークメモリにロードして実行することで実現される。以下、印刷実行操作を行うときの無線通信機能付き操作機器１０１の動作を説明する。
【００７４】
ステップＳ７００で処理を開始して、無線通信機能付き操作機器１０１は、ユーザが画像データを選択し印刷実行ボタンを押すと、印刷実行要求信号およびＩＤ記憶部６０６に記憶されている操作機器ＩＤを無線通信機能付き印刷装置１００に対して送信する（Ｓ７０１）。
【００７５】
次に、無線通信機能付き操作機器１０１は、無線通信機能付き印刷装置１００から画像データ転送要求信号および操作機器ＩＤを受信するまで待機する（Ｓ７０２）。そして、ステップＳ７０２で画像データ転送要求信号および操作機器ＩＤを受信できなかったと判断した場合、つまり、印刷要求が拒否されたと判断し、無線通信機能付き操作機器１０１の表示部６０１に印刷要求が拒否された旨を表示して（Ｓ７０３）、ステップＳ７０４で処理を終了する。
【００７６】
一方、ステップＳ７０２で、画像データ転送要求信号および操作機器ＩＤを受信すると、無線通信機能付き操作機器１０１は、受信した操作機器ＩＤと本無線通信機能付き操作機器１０１のＩＤ記憶部６０６にあらかじめ格納されている本無線通信機能付き操作機器１０１固有のＩＤ情報と比較する。
【００７７】
ステップＳ７０５で受信した操作機器ＩＤと本無線通信機能付き操作機器１０１のＩＤ記憶部６０６にあらかじめ格納されている本無線通信機能付き操作機器１０１固有のＩＤ情報が一致しないと判断した場合、つまり、他の無線通信機能付き操作機器に対しての画像データ転送要求信号であると判断し、本無線通信機能付き操作機器１０１の表示部６０１に印刷要求が拒否された旨を表示して（Ｓ７０３）、本処理を終了する（Ｓ７０４）。
【００７８】
一方、ステップＳ７０５で、受信した操作機器ＩＤと本無線通信機能付き操作機器１０１のＩＤ記憶部６０６にあらかじめ格納されている本無線通信機能付き操作機器１０１固有のＩＤ情報が一致したと判断した場合、すなわち、画像データ転送要求信号が本無線通信機能付き操作機器１０１に対する画像データ転送要求信号であると判断し、本無線通信機能付き操作機器１０１は、無線通信Ｉ／Ｆ部６０３を介して印刷装置１００に画像データを転送して（Ｓ７０６）、印刷処理を開始する（Ｓ７０７）。
【００７９】
次に、本無線通信機能付き操作機器１０１は、一定時間、印刷装置１００からのエラーメッセージ信号の検知を待機する（Ｓ７０８）。そして、ステップＳ７０８で一定時間、エラーメッセージが検知されなければ本無線通信機能付き操作機器１０１は印刷実行動作を終了する（Ｓ７０４）。
【００８０】
一方、ステップＳ７０８で、印刷中にエラーメッセージを検知した場合は、受信した操作機器ＩＤが本無線通信機能付き操作機器１０１のＩＤ記憶部６０６にあらかじめ格納されている本無線通信機能付き操作機器１０１固有のＩＤ情報と一致するかどうかを判断して（Ｓ７０９），一致すると判断した場合、本無線通信機能付き操作機器１０１で実行した印刷が、印刷中にエラーを起こしたと認識し、本無線通信機能付き操作機器１０１の表示部６０１にエラーメッセージを表示し（Ｓ７１０）、本無線通信機能付き操作機器１０１の印刷実行動作を終了する（Ｓ７０４）。
【００８１】
図８は、本発明に係る印刷装置における第１のデータ処理手順の一例を示すフローチャートであり、本無線通信機能付き印刷装置１００のモード設定部３００が、操作を実行した無線通信機能付き操作機器１０１の操作のみを実行する操作機器限定モードに設定されている場合の本無線通信機能付き印刷装置１００の印刷実行時の動作手順に対応する。なお、Ｓ８００〜Ｓ８２０は各ステップを示し、各ステップは、ＣＰＵ２０６がプログラム格納メモリ２０３に格納された制御プログラムを作業用メモリ２０２にロードして実行することで実現される。
【００８２】
ステップＳ８００で処理を開始して、本無線通信機能付き印刷装置１００は、操作を実行した無線通信機能付き操作機器の操作のみを実行する操作機器限定モードに設定されている時、印刷実行要求信号および操作機器ＩＤを受信すると（Ｓ８０１）、本無線通信機能付き印刷装置１００が印刷動作中か否かを判定する（Ｓ８０２）。ステップＳ８０２で本無線通信機能付き印刷装置１００が印刷動作中でない場合、すなわち、待機状態の場合、本無線通信機能付き印刷装置１００は、受信した操作機器ＩＤを無線通信操作処理部２０５のＩＤ記憶部３０５に格納する（Ｓ８０４）。次に、本無線通信機能付き印刷装置１００は、画像データ要求信号と無線通信操作処理部２０５のＩＤ記憶部３０５に格納された操作機器ＩＤを送信する（Ｓ８０５）。
【００８３】
一方、画像データ要求信号と無線通信操作処理部２０５のＩＤ記憶部３０５に格納された操作機器ＩＤを受信した無線通信機能付き操作機器１０１は、本無線通信機能付き印刷装置１００に対して画像データを転送する。
【００８４】
次に、本無線通信機能付き印刷装置１００は、無線通信機能付き操作機器１０１から画像データを受信し（Ｓ８０６）、印刷用データに変換して（Ｓ８０７）印刷を開始する（Ｓ８０８）。
【００８５】
そして、本無線通信機能付き印刷装置１００は、印刷中にエラーが発生するか否かを監視して（Ｓ８０９）、エラーが発生していると判断した場合、エラーメッセージと無線通信操作処理部２０５のＩＤ記憶部３０５に格納された操作機器ＩＤを送信し（Ｓ８１０）、受信した画像データに対する印刷処理を終了する（Ｓ８１１）。
【００８６】
そして、印刷終了後、最後に本無線通信機能付き印刷装置１０１は、無線通信操作処理部２０５のＩＤ記憶部３０５に格納された操作機器ＩＤを消去し（Ｓ８１２）、本処理を終了して（Ｓ８１３）、待機状態となる。
【００８７】
以後、図８に示す点線で囲んだステップＳ８０４からステップＳ８１２までの一連の動作を印刷実行動作Ｓ８０３と記す。
【００８８】
一方、ステップＳ８０２で、本無線通信機能付き印刷装置１００が印刷動作中である場合、本無線通信機能付き印刷装置１００の表示部２０８に印刷中である旨を表示しユーザに警告する（Ｓ８１４）。次に、ステップＳ８０１で受信した操作機器ＩＤと、無線通信操作処理部２０５のＩＤ記憶部３０５に格納された現在の印刷を実行した操作機器ＩＤとを比較する（Ｓ８１５）。ステップＳ８１５で、ステップＳ８０１で受信した操作機器ＩＤと、無線通信操作処理部２０５のＩＤ記憶部３０５に格納された現在の印刷を実行した操作機器ＩＤが一致しない場合、すなわち、ステップＳ８０１で受信した印刷実行要求が、現在の印刷動作を実行した操作機器とは異なる無線通信機能付き操作機器からのものであると判断し、ステップＳ８１６で本無線通信機能付き印刷装置１００は現在の印刷動作を継続して、印刷処理終了後、ステップＳ８１３へ進む。
【００８９】
これにより、印刷中の要求を発している無線通信機能付き操作機器と異なるＩＤの要求を受信しても、印刷処理中の印刷処理が中断される事態が回避され、印刷要求者と異なる操作機器からの指示で勝手に処理中の印刷が中断されたり、取り消されたりしてしまう事態を確実に回避することができる。
【００９０】
一方、ステップＳ８１５で、ステップＳ８０１で受信した操作機器ＩＤが、無線通信操作処理部２０５のＩＤ記憶部３０５に格納された現在の印刷を実行した操作機器ＩＤと一致すると印刷装置１００のＣＰＵ２０６が判断した場合、すなわち、ステップＳ８０１で受信した印刷実行要求が、現在の印刷動作を実行した操作機器のものであると判断（要求者が同一であると推量される場合）し、本無線通信機能付き印刷装置１００は、印刷中を伝えるメッセージと無線通信操作処理部２０５のＩＤ記憶部３０５に格納された現在の印刷を実行した操作機器ＩＤを送信する（Ｓ８１７）。
【００９１】
次に、印刷中を伝えるメッセージと無線通信操作処理部２０５のＩＤ記憶部３０５に格納された現在の印刷を実行した操作機器ＩＤを受信した無線通信機能付き操作機器１０１において、ユーザは現在印刷中の印刷を中止してステップＳ８０１で要求した印刷を実行するか否かの判断を行い（Ｓ８１８）、ユーザがステップＳ８０１で要求した印刷をキャンセルする指示を行っていると判断した場合は、本無線通信機能付き印刷装置１００は現在の印刷動作を継続する（Ｓ８１６）。
【００９２】
一方、ステップＳ８１８でユーザが現在の印刷を中止してステップＳ８０１で要求した印刷を実行すると判断した場合、本無線通信機能付き印刷装置は１００、現在の印刷動作を中止して（Ｓ８１９）、ステップＳ８０１で要求された印刷実行動作Ｓ８０３を行う（Ｓ８２０）。
【００９３】
これにより、印刷中の要求を発している無線通信機能付き操作機器と同一ＩＤの要求を受信した場合には、印刷処理中の印刷処理が中断されても支障がないので、先行する印刷処理を積極的に中断して、次の画像データの印刷処理に移行して、次の画像データ印刷処理を開始することができる。
【００９４】
また、無線通信機能を内蔵した複数の操作機器で利用可能な印刷装置において、操作要求を現在実行中の操作機器からのみ有効とする操作機器限定モードに設定することによって、あるユーザの印刷中に、印刷中のユーザの許可なく勝手に他の操作機器から印刷を中止されてしまうことを防止することができる。
【００９５】
さらに、あるユーザが高級紙などの特殊な用紙を利用して印刷していた場合、他のユーザが印刷要求を印刷装置に与えても、高級紙など特殊な用紙を利用して印刷しているユーザの許可なしには、印刷を実行することができないため、普通紙に印刷すればいいようなコンテンツを高級紙などの特殊な用紙に印刷してしまうようなことを防止することができる。
【００９６】
また、あるユーザが年賀状等を連続印刷していた場合には、印刷中のユーザの許可がなければ、他のユーザは勝手に印刷を中止できないので、他の印刷要求を実行してしまうようなことを防止することができる。
【００９７】
〔第２実施形態〕
上記実施形態では、印刷システムにおける印刷実行時の処理について説明したが、本システムは、印刷要求を指示している操作機器からそのＩＤを照合して、印刷処理を中止させることも可能に構成されている。以下、その実施形態について説明する。
【００９８】
次に、図９、図１０を用いて本無線通信機能付き印刷装置１００および無線通信機能付き操作機器１０１の印刷中止時の動作について説明する。
【００９９】
図９は、本発明に係る操作装置における第２のデータ処理手順の一例を示すフローチャートであり、本無線通信機能付き印刷装置１００を操作可能な無線通信機能付き操作機器１０１の印刷中止時の動作手順に対応する。なお、Ｓ９００〜Ｓ９０９は各ステップを示し、各ステップは、ＣＰＵ６０４がプログラム格納メモリ２０３に格納された制御プログラムを作業用メモリにロードして実行することで実現される。
【０１００】
ユーザが無線通信機能付き操作機器１０１の入力手段６００に備える印刷中止ボタンを押すと、無線通信機能付き操作機器１０１は、印刷中止要求信号および本無線通信機能付き操作機器１０１のＩＤ記憶部６０６に記憶されている本無線通信機能付き操作機器固有の操作機器ＩＤを印刷装置１００に対して無線送信し（Ｓ９０１）、印刷装置１００から印刷中止の確認メッセージおよび本無線通信機能付き操作機器１０１固有の操作機器ＩＤを受信するまで一定時間待機する（Ｓ９０２）。
【０１０１】
そして、ステップＳ９０２で、印刷装置１００から印刷中止の確認メッセージおよび本無線通信機能付き操作機器１０１固有の操作機器ＩＤを受信できたか否かを判断して、受信できなかったと判断した場合、本無線通信機能付き操作機器１０１は、現在印刷中の印刷中止要求が拒否されたと判断し、本無線通信機能付き操作機器１０１の表示部６０１に、印刷中止要求が拒否された旨を表示して（Ｓ９０３）、本処理を終了する（Ｓ９０４）。
【０１０２】
一方、ステップＳ９０２で、印刷装置１００から印刷中止の確認メッセージおよび本無線通信機能付き操作機器１０１固有の操作機器ＩＤを受信した場合、本無線通信機能付き操作機器１０１は、受信した操作機器ＩＤと、本無線通信機能付き操作機器１０１のＩＤ記憶部６０６に記憶されている本無線通信機能付き操作機器１０１固有の操作機器ＩＤとを比較して一致しているか否かを判断する（Ｓ９０５）。
【０１０３】
そして、ステップＳ９０５で、ステップＳ９０１で受信した操作機器ＩＤと、本無線通信機能付き操作機器１０１のＩＤ記憶部６０６に記憶されている本無線通信機能付き操作機器１０１固有の操作機器ＩＤが一致しないと判断した場合、ステップＳ９０１で受信した操作機器ＩＤは、他の操作機器に対して送信されたものであり、本無線通信機能付き操作機器１０１は印刷中止要求が拒否されたと判断し、本無線通信機能付き操作機器１０１の表示部６０１に、印刷中止要求が拒否された旨を表示して（Ｓ９０３）、本処理を終了する（Ｓ９０９）。
【０１０４】
一方、ステップＳ９０５で、ステップＳ９０１で受信した操作機器ＩＤと、本無線通信機能付き操作機器１０１のＩＤ記憶部６０６に記憶されている本無線通信機能付き操作機器１０１固有の操作機器ＩＤが一致した場合、ステップＳ９０１で受信した印刷中止の確認メッセージは、本無線通信機能付き操作機器に対する印刷中止確認メッセージであり、本無線通信機能付き操作機器１０１の表示部６０１に、印刷を中止する旨の確認メッセージを表示する（Ｓ９０６）。そして、ステップＳ９０７で、ユーザが印刷中止をキャンセルすると、印刷装置は現在印刷中の印刷を継続する。一方、ステップＳ９０７で、ユーザが印刷中止を確認し実行すると、本無線通信機能付き操作機器１０１は、印刷装置１００に対して印刷中止確認信号と、本無線通信機能付き操作機器１０１のＩＤ記憶部６０６に記憶されている本無線通信機能付き操作機器１０１固有の操作機器ＩＤを送信し（Ｓ９０８）、本無線通信機能付き操作機器１０１は、本無線通信機能付き操作機器１０１の表示部６０１に印刷を中止した旨を伝える印刷中止メッセージを表示し（Ｓ９０９）、印刷装置１００は印刷動作を中止する。
【０１０５】
図１０は、本発明に係る印刷装置における第２のデータ処理手順の一例を示すフローチャートであり、本無線通信機能付き印刷装置１００のモード設定部３００が、操作を実行した無線通信機能付き操作機器１０１の操作のみを実行する操作機器限定モードに設定されている場合の本無線通信機能付き印刷装置１００の印刷中止時の動作手順に対応する。なお、Ｓ１０００〜Ｓ１０１１は各ステップを示し、各ステップは、ＣＰＵ２０６がプログラム格納メモリ２０３に格納された制御プログラムを作業用メモリ２０２にロードして実行することで実現される。
【０１０６】
本処理が開始されると（Ｓ１０００）、本無線通信機能付き印刷装置１００は、印刷動作中に印刷中止要求信号と操作機器ＩＤを受信すると（Ｓ１００１）、本無線通信機能付き印刷装置１００の表示部２０８に、現在印刷動作中である旨を表示部２０８上に表示し（Ｓ１００２）、ステップＳ１００１で受信した操作機器ＩＤと、無線通信操作処理部２０５のＩＤ記憶部３０５に格納されている現在の印刷を実行指示した操作機器ＩＤを比較して（Ｓ１００３）、ステップＳ１００１で受信した操作機器ＩＤと、無線通信操作処理部２０５のＩＤ記憶部３０５に格納されている現在の印刷を実行指示した操作機器ＩＤが一致しないとＣＰＵ２０６が判断した場合、現在の印刷を実行指示した操作機器からの印刷中止要求ではないと判断し、現在の印刷動作を継続する（Ｓ１００４）。
【０１０７】
一方、ステップＳ１００３で、ステップＳ１００１で受信した操作機器ＩＤと、無線通信操作処理部２０５のＩＤ記憶部３０５に格納されている現在の印刷を実行指示した操作機器ＩＤが一致していると判断した場合、現在の印刷を実行指示した操作機器からの印刷中止要求であると判断し、ユーザに印刷中止を確認する旨を伝える印刷中止確認メッセージと、無線通信操作処理部２０５のＩＤ記憶部３０５に格納されている現在の印刷を実行指示した操作機器ＩＤを送信し（Ｓ１００８）、本無線通信機能付き印刷装置１００は、無線通信機能付き携帯機器１０１からの印刷中止確認信号および操作機器ＩＤを受信するまで一定時間待機する（Ｓ１００９）。
【０１０８】
そして、ステップＳ１００９で、印刷中止確認信号と操作機器ＩＤが一定時間受信されなかったとＣＰＵ２０６が判断した場合は、印刷中止要求がキャンセルされたと判断し、現在印刷中の印刷動作を継続する（Ｓ１００４）。
【０１０９】
一方、ステップＳ１００９で、印刷中止確認信号と操作機器ＩＤを一定時間内に受信すると、本無線通信機能付き印刷装置１００は、受信した操作機器ＩＤと、無線通信操作処理部２０５のＩＤ記憶部３０５に格納されている現在の印刷を実行指示した操作機器ＩＤを比較して（Ｓ１０１０）、ステップＳ１００９で受信した操作機器ＩＤと、無線通信操作処理部２０５のＩＤ記憶部３０５に格納されている現在の印刷を実行指示した操作機器ＩＤが一致しないと判断した場合、印刷中止はキャンセルされ、現在の印刷動作を継続する（Ｓ１００４）。
【０１１０】
一方、ステップＳ１０１０で、ステップＳ１００９で受信した操作機器ＩＤと、無線通信操作処理部２０５のＩＤ記憶部３０５に格納されている現在の印刷を実行指示した操作機器ＩＤが一致したとＣＰＵ２０６が判断した場合、本無線通信機能付き印刷装置１００は、現在印刷中の印刷動作を中止して（Ｓ１０１１）、印刷動作を終了し（Ｓ１００５）、無線通信操作処理部２０５のＩＤ記憶部３０５に格納されている操作機器ＩＤを消去して（Ｓ１００６）、動作を終了する（Ｓ１００７）。
【０１１１】
これにより、印刷処理中の操作機器からの印刷中止要求を認識して、その操作機器からの印刷中止要求を実行させ、その他の操作機器からの印刷中止要求については、それを拒否して、その旨を要求しているその他の操作機器に通知して、それぞれ他の操作機器においてその旨が表示される。
【０１１２】
〔第３実施形態〕
上記実施形態では、操作機器から受信した前記操作信号をすべて実行するモード（第２のモード）と、印刷中は前記ＩＤ比較手段の判定結果に応じて前記操作機器で受信した前記操作信号を実行するモード（第１のモード）を動的に制御する場合について説明したが、本発明は上記実施形態に限定されるものではなく、種々の変形実施形態が可能であることは言うまでもない。
【０１１３】
尚、本発明は、操作を実行した無線通信機能付き操作機器１０１の操作のみを実行する操作機器限定モードに設定されている場合、印刷装置本体の入力手段からの操作は、操作を実行した無線通信機能付き操作機器からの操作と見なし、印刷装置を制御可能とする形態も考えられる。
【０１１４】
さらに、本発明は、複数の操作機器のＩＤ情報を、あらかじめ本印刷装置のメモリ内にグループ登録（制御可、制御不可グループ等）しておき、操作を実行した無線通信機能付き操作機器１０１の操作のみを実行する操作機器限定モードに設定されている場合、グループ登録されている操作機器からの操作は、登録内容に応じて、印刷装置を制御可能とする形態も考えられる。
【０１１５】
〔第４実施形態〕
上記第１実施形態では、印刷処理中に、同一のＩＤの操作機器からの印刷要求がある場合には、実行中の印刷処理を中止して、新たな印刷要求を受信して印刷する場合について説明したが、中止の代わりに、中断して、該中断したページ等の情報を他の記憶装置に一時的にスプールして、中断した印刷処理を再開可能に制御してもよい。その際、同様の認証処理を行う。これにより、操作機器からの割込み印刷処理が可能となる。
【０１１６】
〔第５実施形態〕
以下、図１１，図１２に示すメモリマップを参照して本発明に係る印刷装置、操作機器で読み取り可能なデータ処理プログラムの構成について説明する。
【０１１７】
図１１は、本発明に係る印刷装置で読み取り可能な各種データ処理プログラムを格納する記憶媒体のメモリマップを説明する図であり、図１２は、本発明に係る操作機器で読み取り可能な各種データ処理プログラムを格納する記憶媒体のメモリマップを説明する図である。
【０１１８】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１１９】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１２０】
本実施形態における図７〜図１０に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１２１】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１２２】
この場合、記憶媒体から読み出されたプログラムコード自体が本発明の新規な機能を実現することになり、そのプログラムコードを記憶した記憶媒体は本発明を構成することになる。
【０１２３】
従って、プログラムの機能を有していれば、オブジェクトコード、インタプリタにより実行されるプログラム、ＯＳに供給するスクリプトデータ等、プログラムの形態を問わない。
【０１２４】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１２５】
この場合、記憶媒体から読出されたプログラムコード自体が前述した実施形態の機能を実現することになり、そのプログラムコードを記憶した記憶媒体は本発明を構成することになる。
【０１２６】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１２７】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１２８】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１２９】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１３０】
本発明は上記実施形態に限定されるものではなく、本発明の趣旨に基づき種々の変形（各実施形態の有機的な組合せを含む）が可能であり、それらを本発明の範囲から排除するものではない。
【０１３１】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜１４について説明する。
【０１３２】
〔実施態様１〕
操作機器固有のＩＤ情報を備えた複数の操作機器と無線通信可能な印刷装置であって、印刷処理を受け付けた操作機器固有のＩＤ情報を記憶する記憶手（例えば図５に示すＩＤ記憶部３０５）と、印刷処理中におけるいずれかの操作機器からの要求受信時に、要求元のＩＤ情報と前記記憶手段に記憶されているＩＤ情報とを照合して印刷処理を実行する第１のモードと、すべての操作機器からの操作要求を実行する第２のモードとを有し、前記第１のモードによる印刷処理状態に基づいて、第１のモードから第２のモードへまたは第２のモードから第１のモードへの切り替えを制御する制御手段（例えば図５に示す無線通信操作処理部２０５による制御）とを備えたことを特徴とする印刷装置。
【０１３３】
これにより、印刷処理中の画像データの印刷指示を行っている操作機器以外からの印刷処理要求を受け付けることがなくなり、印刷処理中に後続の操作機器からの印刷処理要求により、処理中の印刷処理が取り消されてしまう事態を回避できる。
【０１３４】
〔実施態様２〕
前記制御手段は、第１のモード時に、処理中の印刷処理の中止または継続を制御する（図８に示すステップＳ８１５〜Ｓ８２０）ことを特徴とする実施態様１記載の印刷装置。
【０１３５】
これにより、記憶されている操作機器のＩＤと一致する操作機器からの要求で、処理中の印刷処理の中止または継続のいずれにも対応することができる。
【０１３６】
〔実施態様３〕
前記制御手段は、要求元のＩＤ情報と前記記憶手段に記憶されているＩＤ情報との照合結果を要求元の操作機器に送信する（図８に示すステップＳ８１７）ことを特徴とする実施態様１記載の印刷装置。
【０１３７】
これにより、操作機器から印刷装置への要求が送信された後、すでにＩＤが記憶された操作機器と、それ以外の操作機器とで通知する内容が異なり、要求元の操作機器のユーザに現在の状況を認知させることができる。
【０１３８】
〔実施態様４〕
前記制御手段は、要求元のＩＤ情報と前記記憶手段に記憶されているＩＤ情報とが一致する場合、処理中の印刷処理を中止して、新たな印刷要求を受信する（図８に示すステップＳ８２０）ことを特徴とする実施態様１記載の印刷装置。
【０１３９】
これにより、ＩＤ照合が取れている操作機器からは、実行中の印刷処理を継続させることも、中断して、新たな印刷要求を実行させることも可能となり、ユーザの利便性が向上する。
【０１４０】
〔実施態様５〕
前記制御手段は、印刷処理中に発生するエラー情報を記憶されているＩＤに対応する操作機器に送信する（図８に示すステップＳ８１０）ことを特徴とする実施態様１記載の印刷装置。
【０１４１】
これにより、印刷処理中に発生するエラー情報を送信すべき操作機器が一意に決定され、不要なエラー情報を他の操作機器に送信してしまう事態を回避できる。
【０１４２】
〔実施態様６〕
前記制御手段は、印刷処理終了後、記憶されている操作機器のＩＤ情報を消去する（図８に示すステップＳ８１２）ことを特徴とする実施態様１記載の印刷装置。
【０１４３】
これにより、印刷装置は、印刷処理終了毎に、次の印刷処理要求を受け付け可能な状態、すなわち、第２のモードへ遷移して、すべての操作機器からの印刷要求を受け付け可能な状態に遷移させることができる。
【０１４４】
〔実施態様７〕
操作機器固有のＩＤ情報を印刷装置に通知可能な操作機器であって、前記操作機器固有のＩＤ情報を記憶する記憶手段（図６に示すＩＤ記憶部６０６）と、前記印刷装置への操作要求時に、前記操作機器固有のＩＤ情報を前記印刷装置に送信して、印刷処理を要求する要求手段（図６に示す無線通信操作処理部６０５による処理）と、前記印刷装置から通知されるＩＤ情報と記憶されているＩＤ情報とを照合して、処理中の印刷を中止するための印刷中止要求の送信を制御する制御手段（図６に示す無線通信操作処理部６０５による処理）とを有することを特徴とする操作機器。
【０１４５】
これにより、印刷装置に対する印刷処理要求を発行しても、すでに印刷装置に記憶されているＩＤとの照合が一致しないと、新たな印刷要求の送信が制限されるため、印刷装置で処理中の印刷処理を中止させてしまうような要求が印刷装置に送信されてしまう事態を回避できる。
【０１４６】
〔実施態様８〕
前記制御手段は、印刷処理中に、前記印刷装置からエラー情報を受信した場合に、該エラー情報とともに通知されるＩＤ情報と記憶されているＩＤ情報とを照合して、エラーメッセージの表示実行を制御する（図７に示すＳ７１０）ことを特徴とする実施態様７記載の操作機器。
【０１４７】
これにより、印刷装置に対する印刷処理要求を発行しても、すでに印刷装置に記憶されているＩＤとの照合が一致しないと、受信したエラーメッセージを無意味に表示することがなくなり、ユーザの利便性が向上する。
【０１４８】
〔実施態様９〕
操作機器固有のＩＤ情報を備えた複数の操作機器と印刷装置とが無線通信可能な印刷システムであって、前記印刷装置は、印刷処理を受け付けた操作機器固有のＩＤ情報を記憶する第１の記憶手段（例えば図５に示すＩＤ記憶部３０５）と、印刷処理中におけるいずれかの操作機器からの要求受信時に、要求元のＩＤ情報と前記第１の記憶手段に記憶されているＩＤ情報とを照合して印刷処理を実行する第１のモードと、すべての操作機器からの操作要求を実行する第２のモードとを有し、第１のモードから第２のモードへまたは第２のモードから第１のモードへの切り替えを制御する第１の制御手段（例えば図５に示す無線通信操作処理部２０５による制御）とを備え、前記操作機器は、前記操作機器固有のＩＤ情報を記憶する第２の記憶手段（図６に示すＩＤ記憶部６０６）と、前記印刷装置への操作要求時に、前記操作機器固有のＩＤ情報を前記印刷装置に送信して、印刷処理を要求する要求手段（図６に示す無線通信操作処理部６０５による処理）と、前記印刷装置から通知されるＩＤ情報と記憶されているＩＤ情報とを照合して、処理中の印刷を中止するための印刷中止要求の送信を制御する第２の制御手段（図６に示す無線通信操作処理部６０５による処理）とを有することを特徴とする印刷システム。
【０１４９】
これにより、印刷処理中の画像データの印刷指示を行っている操作機器以外からの印刷処理要求を受け付けることがなくなり、印刷処理中に後続の操作機器からの印刷処理要求により、処理中の印刷処理が取り消されてしまう事態を回避できる。
【０１５０】
また、印刷装置に対する印刷処理要求を発行しても、すでに印刷装置に記憶されているＩＤとの照合が一致しないと、新たな印刷要求の送信が制限されるため、印刷装置で処理中の印刷処理を中止させてしまうような要求が印刷装置に送信されてしまう事態を回避できる。
【０１５１】
〔実施態様１０〕
操作機器固有のＩＤ情報を備えた複数の操作機器と無線通信可能な印刷装置における印刷制御方法であって、印刷処理を受け付けた操作機器固有のＩＤ情報を記憶手段に記憶し、印刷処理中におけるいずれかの操作機器からの要求受信時に、要求元のＩＤ情報と前記記憶手段に記憶されているＩＤ情報とを照合して印刷処理を実行する第１のモードと、すべての操作機器からの操作要求を実行する第２のモードとを有し、前記第１のモードによる印刷処理状態に基づいて、第１のモードから第２のモードへまたは第２のモードから第１のモードへの切り替えを制御する制御ステップ（図８に示すステップＳ８１４〜Ｓ８２０）とを備えたことを特徴とする印刷制御方法。
【０１５２】
これにより、実施態様１と同等の効果が期待できる。
【０１５３】
〔実施態様１１〕
操作機器固有のＩＤ情報を印刷装置に通知可能な操作機器における印刷制御方法であって、前記操作機器固有のＩＤ情報を記憶手段に記憶し、前記印刷装置への操作要求時に、前記操作機器固有のＩＤ情報を前記印刷装置に送信して、印刷処理を要求する要求ステップ（図９に示すステップＳ９０１）と、前記印刷装置から通知されるＩＤ情報と記憶されているＩＤ情報とを照合して、処理中の印刷を中止するための印刷中止要求の送信を制御する制御ステップ（図９に示すステップＳ９０５〜Ｓ９０９）と、
を有することを特徴とする印刷制御方法。
【０１５４】
これにより、実施態様６と同等の効果が期待できる。
【０１５５】
〔実施態様１２〕
操作機器固有のＩＤ情報を備えた複数の操作機器と印刷装置とが無線通信可能な印刷システムにおける印刷制御方法であって、前記印刷装置は、印刷処理を受け付けた操作機器固有のＩＤ情報を第１の記憶手段に記憶し、印刷処理中におけるいずれかの操作機器からの要求受信時に、要求元のＩＤ情報と前記第１の記憶手段に記憶されているＩＤ情報とを照合して印刷処理を実行する第１のモードと、すべての操作機器からの操作要求を実行する第２のモードとを有し、前記第１のモードによる印刷処理状態に基づいて、第１のモードから第２のモードへまたは第２のモードから第１のモードへの切り替えを制御する第１の制御ステップ（図８に示すステップＳ８１４〜Ｓ８２０）とを備え、前記操作機器は、前記操作機器固有のＩＤ情報を第２の記憶手段に記憶し、前記印刷装置への操作要求時に、前記操作機器固有のＩＤ情報を前記印刷装置に送信して、印刷処理を要求する要求ステップ（図９に示すステップＳ９０１）と、前記印刷装置から通知されるＩＤ情報と記憶されているＩＤ情報とを照合して、処理中の印刷を中止するための印刷中止要求の送信を制御する第２の制御ステップ（図９に示すステップＳ９０５〜Ｓ９０９）とを有することを特徴とする印刷制御方法。
【０１５６】
これにより、実施態様１または６と同等の効果が期待できる。
【０１５７】
〔実施態様１３〕
実施態様１０〜１２のいずれかに記載の印刷制御方法を実行させるためのプログラムを格納したことを特徴とするコンピュータが読み取り可能な記憶媒体。
【０１５８】
これにより、実施態様１０〜１２と同等の効果が期待できる。
【０１５９】
〔実施態様１４〕
実施態様１０〜１２のいずれかに記載の印刷制御方法を実行させることを特徴とする特徴とするプログラム。
【０１６０】
これにより、実施態様１０〜１２と同等の効果が期待できる。
【図面の簡単な説明】
【０１６１】
【図１】本発明に係る印刷装置を適用可能な印刷システムを説明する図である。
【図２】本発明の第１実施形態を示す無線通信機能付き印刷装置の内部構成を示すブロック図である。
【図３】図２に示したプログラム格納メモリのメモリマップを示す図である。
【図４】図２に示した作業用メモリのメモリマップを示す図である。
【図５】図２に示した無線通信操作処理部の内部構成を説明するブロック図である。
【図６】図２に示した無線通信機能付き印刷装置の詳細構成を説明するブロック図である。
【図７】本発明に係る操作装置における第１のデータ処理手順の一例を示すフローチャートである。
【図８】本発明に係る印刷装置における第１のデータ処理手順の一例を示すフローチャートである。
【図９】本発明に係る操作装置における第２のデータ処理手順の一例を示すフローチャートである。
【図１０】本発明に係る印刷装置における第２のデータ処理手順の一例を示すフローチャートである。
【図１１】本発明に係る印刷装置で読み取り可能な各種データ処理プログラムを格納する記憶媒体のメモリマップを説明する図である。
【図１２】本発明に係る操作機器で読み取り可能な各種データ処理プログラムを格納する記憶媒体のメモリマップを説明する図である。
【符号の説明】
【０１６２】
１００  無線通信機能付き印刷装置
１０１  無線通信機能付き操作機器
２０１  入力手段
２０２  作業用メモリ
２０３  プログラム格納メモリ
２０４  動作終了検知部
２０５  無線通信操作処理部
【図１】
2006289674.tif 000003
【図２】
2006289674.tif 000004
【図３】
2006289674.tif 000005
【図４】
2006289674.tif 000006
【図５】
2006289674.tif 000007
【図６】
2006289674.tif 000008
【図７】
2006289674.tif 000009
【図８】
2006289674.tif 000010
【図９】
2006289674.tif 000011
【図１０】
2006289674.tif 000012
【図１１】
2006289674.tif 000013
【図１２】
2006289674.tif 000014